(57)【要約】【課題】多様な形状のブラシを有する液体化粧料塗布体を、安価に、しかも簡易且つ正確に製造できるようにする。【解決手段】一面には複数の突起物３を、他面にはその両端で長手方向に断面略Ｌ字形状の係止凸縁分割体５’、５’を一体に形成する長方形状の成形体Ａを係止凸縁５を形成するように巻回して円筒形状の塗布体本体部２とするとともに、クリップ６の係止凹縁６ｃと塗布体係止凸縁とを挿嵌させるので、円筒形状の塗布体本体部と、クリップと、該塗布体本体部の表面に一体に形成されるブラシとから構成される液体化粧料塗布体１を製造することができる。【選択図】図２
2013009775.tif 000002
【特許請求の範囲】
【請求項１】
塗布体本体部と、その表面において形成されるブラシとから構成される液体化粧料塗布体について、
一面に複数の突起物を成形してなる平面形状の成形体を成形し、
該成形体を変形させて立体形状とし、
立体形状である塗布体本体部と、該塗布体本体の表面において複数の突起物よりなるブラシとを形成してなる
ことを特徴とする液体化粧料塗布体の製造方法。
【請求項２】
塗布体本体部と、その表面において形成されるブラシとから構成される液体化粧料塗布体について、
一面に複数の突起物を成形してなる方形状であって平面形状の成形体を成形し、
該成形体を巻回させて円筒形状とし、
円筒形状の塗布体本体部と、該塗布体本体部の表面において複数の突起物よりなるブラシとを形成してなる
ことを特徴とする請求項１記載の液体化粧料塗布体の製造方法。
【請求項３】
塗布体本体部と、その表面において形成されるブラシとから構成される液体化粧料塗布体について、
一面に複数の突起物を成形してなる平面形状であって、その断面形状を塗布体本体部断面を径方向に分割したものとする複数の成形体片を、連結部を中心に各々の成形体片を放射状に配置してなる平面形状の成形体を成形し、
該成形体の各成形片を連結部に対して各々同方向へ折曲させて柱形状とし、
柱形状の塗布部本体部と、該塗布部本体部の表面において複数の突起物よりなるブラシとを形成してなる
ことを特徴とする請求項１記載の液体化粧料塗布体の製造方法。
【請求項４】
塗布体本体部と、その表面において形成されるブラシとから構成される液体化粧料塗布体について、
一面に複数の突起物を成形してなる方形状であって平面形状の成形体を成形し、  該成形体を柱形状の軸体に巻き付け、
柱形状の軸体の外周面に一体となる円筒形状の塗布部本体部と、該塗布部本体部の表面において複数の突起物よりなるブラシとを形成してなる
ことを特徴とする請求項１記載の液体化粧料塗布体の製造方法。
【発明の詳細な説明】
【技術分野】
【０００１】
本願発明は、液体化粧料、例えばマスカラを塗布する液体化粧料塗布体の製造方法に関する。
【背景技術】
【０００２】
例えば、液体化粧料であるマスカラを塗布する液体化粧料塗布体には、長い柔軟なプラスチック製の芯と、該芯から放射状に伸びている複数のプラスチック製の毛を備えているブラシとからなるものがある。
そして、該液体化粧料塗布体は、金型を用いて射出成形によって芯とブラシとを一体に成形しているものである（特許文献１参照）。
【０００３】
ところで、該液体化粧料塗布体を構成する芯の表面には、複数のプラスチック製の毛を備えているブラシが一体に形成されている。そのため、成形後に金型から液体化粧料塗布体を取り出すにあたっては、液体化粧料塗布体を構成する芯やブラシの破損に注意しなければならず、また、該芯及びブラシの形状自体も金型から取り出しやすい形状とする必要もある。
【０００４】
そこで、金型から成形後の液体化粧料塗布体を取り出すにあたって、該液体化粧料塗布体を構成する芯やブラシの破損を防止できるように、射出成形に用いる金型を円周方向に複数の型割り構造とすることが行われている。
【０００５】
しかしながら、射出成形に用いる金型を複数の型割り構造とすると、該金型は非常に複雑、且つ精密となるので、金型の製造費用は高価となる上、金型の取り扱い及び維持において必要となる費用も高価になるものである。その上、製造作業自体も複雑なものになる。そのため、液体化粧料塗布体の製造費用が著しく上昇してしまうものである。
【先行技術文献】
【特許文献】
【０００６】
【特許文献１】特開２００８−１８２４５
【発明の概要】
【発明が解決しようとする課題】
【０００７】
解決しようとする問題点は、液体化粧料塗布体の製造にあたって、該液体化粧料塗布体を構成する芯及びブラシを一体に金型を用いて成形するため、多様な形状のブラシを有する液体化粧料塗布体を製造しようとすると、成形に用いる金型を単純化することができないので、製造作業時における作業性は低下し、液体化粧料塗布体の製造費用は著しく上昇してしまう点である。
【課題を解決するための手段】
【０００８】
第１の特徴として、
塗布体本体部と、その表面において形成されるブラシとから構成される液体化粧料塗布体について、
一面に複数の突起物を成形してなる平面形状の成形体を成形し、
該成形体を変形させて立体形状とし、
立体形状である塗布体本体部と、該塗布体本体の表面において複数の突起物よりなるブラシとを形成してなるものである。
【０００９】
そのため、液体化粧料塗布体を構成する塗布体本体部の表面に成形される突起物及び該突起物より形成されるブラシが複雑な形状であっても、該突起物を成形する成形体は平面形状であるので、該成形体の成形に用いる金型を単純化することができる。その結果、金型の製造費用のみならず、金型の取り扱い及び維持に要する費用も安価になるので、液体化粧料塗布体の製造費用を低減化させることができるものとなる。
【００１０】
さらに、金型より取り出す成形体は平面形状であるので、金型から容易に抜き出すことができる。その結果、平面形状の成形体及びその表面において成形されて複数の突起物、及び該突起物より形成されるブラシを多様な形状にすることができるものとなる。
【００１１】
また、平面形状の成形体を立体形状に変形させるだけで、立体形状の塗布部本体部と、該塗布部本体部の表面において一体に形成されるブラシとにすることができる。その結果、液体化粧料塗布体を簡易且つ正確に製造することができるものである。
【００１２】
第２の特徴として、
塗布体本体部と、その表面において形成されるブラシとから構成される液体化粧料塗布体について、
一面に複数の突起物を成形してなる方形状であって平面形状の成形体を成形し、
該成形体を巻回させて円筒形状とし、
円筒形状の塗布体本体部と、該塗布体本体部の表面において複数の突起物よりなるブラシとを形成してなるものである。
【００１３】
更に、第３の特徴として、
塗布体本体部と、その表面において形成されるブラシとから構成される液体化粧料塗布体について、
一面に複数の突起物を成形してなる平面形状であって、その断面形状を塗布体本体部断面を径方向に分割したものとする複数の成形体片を、連結部を中心に各々の成形体片を放射状に配置してなる平面形状の成形体を成形し、
該成形体の各成形片を連結部に対して各々同方向へ折曲させて柱形状とし、
柱形状の塗布部本体部と、該塗布部本体部の表面において複数の突起物よりなるブラシとを形成してなるものである。
【００１４】
その上、第４の特徴として、
塗布体本体部と、その表面において形成されるブラシとから構成される液体化粧料塗布体について、
一面に複数の突起物を成形してなる方形状であって平面形状の成形体を成形し、  該成形体を柱形状の軸体に巻き付け、
柱形状の軸体の外周面に一体となる円筒形状の塗布部本体部と、該塗布部本体部の表面において複数の突起物よりなるブラシとを形成してなるものである。
【００１５】
そのため、平面形状の成形体を立体形状に変形、すなわち該成形体を巻回し、折曲し、又は軸体に巻き付けることによって塗布体本体部及びブラシとにすることができる。その結果、金型に要する費用の低減及びブラシの多様化のみならず、液体化粧料塗布体を簡易且つ正確に製造することができるものとなる。
【発明の効果】
【００１６】
本願発明は、塗布体本体部と、該塗布体本体部の表面に一体に形成されるブラシとから構成される液体化粧料塗布体を、平面形状の成形体を立体形状に変形させることによって製造するので、金型に要する費用の低減、液体化粧料塗布体ののブラシの形状の多様化とともに液体化粧料塗布体の製造を簡易且つ正確に行うことができる優れた効果を有するものである。
【図面の簡単な説明】
【００１７】
【図１】図１は、本願発明の実施例１である液体化粧料塗布体の正面図である。
【図２】図２は、本願発明の実施例１である液体化粧料塗布体の製造工程を示す模式図である。
【図３】図３は、本願発明の実施例１である液体化粧料塗布体の製造工程で使用する係止ピンの全体斜視図である。
【図４】図４（イ）は、本願発明の実施例２である液体化粧料塗布体の正面図、（ロ）は、そのＡ−Ａ断面図、（ハ）は、そのＢ−Ｂ断面図である。
【図５】図５は、本願発明の実施例２である液体化粧料塗布体の製造工程を示す模式図である。
【図６】図６（イ）は、本願発明の実施例３である液体化粧料塗布体の正面図、（ロ）は、その平面図である。
【図７】図７は、本願発明の実施例３である液体化粧料塗布体の製造工程を示す模式図である。
【発明を実施するための形態】
【００１８】
例えばマスカラ等の液体化粧料を塗布する液体化粧料塗布体を、多様な形状のブラシを有するにも関わらず、安価に、しかも簡易且つ正確に製造できるように、該液体化粧料塗布体を金型により一体に成形される平面形状の成形体を立体形状に変形させて製造することで実現した。
【実施例１】
【００１９】
図１において示すのは、本願発明の実施例１である液体化粧料塗布体１である。該液体化粧料塗布体１は、円筒形状の塗布体本体部２と、該塗布体本体部２を円筒形状に保持するクリップ６と、該塗布体本体部２の表面において複数の突起物３を長手方向に直列状に配置してなるブラシ４とから構成されるものである。
なお、該液体化粧料塗布体１は、該液体化粧料塗布体１を構成し、塗布体本体部２を円筒形状に保持するクリップ６によって、マスカラ等の液体化粧料を貯留する容器本体（図示せず。）とともに液体化粧料容器（図示せず。）をなすキャップ（図示せず。）内に根元部７’を保持する固持軸７先端の固持孔７”内に挿嵌して固持するものである。
【００２０】
本願発明の実施例１である液体化粧料塗布体１は、図２（イ）〜（二）で示すようにして製造するものである。
まず、一面には直列状に複数の突起物３を、他面には長手方向両端において対称となるように断面略Ｌ字形状の係止凸縁分割体５’、５’を一体に形成してなる長方形状であって平面形状の成形体Ａを金型によって成形する。
そして、成形した金型から抜き出した後に該長方形状の成形体Ａは、複数の突起物３を一体に形成する一面を表面とし、該成形体Ａの他面の断面略Ｌ字形状の係止凸縁分割体５’、５’同士を突き合わせて断面略Ｔ字形状の係止凸縁５を形成するように巻回して円筒形状の塗布体本体部２とする。
その上で、該円筒形状とした塗布体本体部２の内部に対してクリップ６を挿入して該塗布体本体部２を円筒形状に保持させるとともに、該クリップ６の先端を固持軸７の先端の固持孔７”内に挿嵌して固持軸７に固持するものである。すなわち、図３において示すように、該クリップ６の円筒形状の本体部６ａ先端にはその断面形状が略半円状である本体部６ａより径小の挿嵌部６ｂが一体に形成されるとともに、該本体部６ａには断面略Ｔ字形状の係止凸縁５に挿嵌する溝状の係止凹縁６ｃが配設されているものである。その結果、巻回して円筒形状とした塗布体本体部２内部に該クリップ６を挿入して、該塗布体本体部２の係止凸縁５に対してクリップ６をなす本体部６ａの係止凹縁６ｃを挿嵌させることで塗布体本体部２は円筒形状に保持されるものとなる。さらに該クリップ６の先端の挿嵌部６ｂは塗布体本体部２より突出するものとなるので、該挿嵌部６ｂを固持軸７先端の固持孔７”内に挿嵌して固持することができるものである。
【００２１】
以上のように、本願発明の実施例１である液体化粧料塗布体１を製造するにあたっては、該液体化粧料塗布体１を構成する成形体Ａを長方形状であって平面形状とするものであるので、射出成形に使用する金型を複雑に型割りする必要がなくなるものである。その結果、金型の製造の他に、金型の取り扱い及び維持に必要となる費用を安価にすることができる。
【００２２】
その上、金型から成形体Ａを取り出すにあたっても、成形体Ａ自体が平面形状であるので、ブラシ４を形成することとなる複数の突起物３を変形させ、また破損させることなく容易に取り出せるものである。その結果、多様な形状のブラシ４を有する液体化粧料塗布体１を製造することができるものである。
【００２３】
さらに、平面形状に成形された成形体Ａを巻回させて円筒形状にするとともに、クリップ６によって塗布体本体部２を円筒形状に保持させることができる。その結果、液体化粧料塗布体１を簡易且つ正確に製造することができるものである。
【実施例２】
【００２４】
図４（イ）において示すのは、本願発明の実施例２である液体化粧料塗布体１’である。該液体化粧料塗布体１’は、断面十字形状である角柱形状の塗布体本体部２’と、該塗布体本体部２’の端部に形成される挿嵌部８と、該塗布体本体部２’の表面において複数の突起物３’を長手方向に直列状に配置してなるブラシ４’とから構成されるものである。
なお、該液体化粧料塗布体１’は、該液体化粧料塗布体１’を構成する挿嵌部８を、実施例１と同様に、マスカラ等の液体化粧料を貯留する容器本体（図示せず。）とともに液体化粧料容器（図示せず。）をなすキャップ（図示せず。）内に根元部を保持する固持軸先端の固持孔内に挿嵌して固持するものである。
【００２５】
本願発明の実施例２である液体化粧料塗布体は、図５（イ）〜（ハ）で示すようにして製造するものである。
まず、先端に挿嵌部８となる挿嵌部片８’を形成するとともに、一面には直列状に複数の突起物３’を一体に形成してなる成形体片Ｂ’を、連結部Ｂ”を中心に４つの成形体片を互いに９０°をなすように放射状に配置してなる平面形状の成形体Ｂを金型によって成形する。
ここで、該成形体Ｂをなす成形体片Ｂ’の断面形状は、該成形体片Ｂ’が一体となったときに相互に確実に密着して断面十字形状である角柱形状の塗布体本体部２’となるように４等分に分割した形状とするものである。また、成形体片Ｂ’の先端において一体に形成される挿嵌部片８’の断面形状は中心角が９０°の扇形形状となるので、該挿嵌部片８’が一体となった場合には円柱形状の挿嵌部８が形成されるものである。
そして、成形した金型から抜き出した後に該連結部Ｂ”を中心に互いに９０°をなすように放射状に配置された平面形状の成形体Ｂは、複数の突起物３’を一体に形成する一面を表面とし、その他面は他の成形体片８’の他面と相互に確実に密着するようにして連結部Ｂ”を中心に折曲することで、先端に円柱形状の挿嵌部８を形成するとともに、断面十字形状である角柱形状の塗布体本体部２とする。
その上で、該塗布体本体部２先端に形成される挿嵌部８を固持軸先端の固持孔内に挿嵌して固持することができるものとなる。
【００２６】
以上のように、本願発明の実施例２である液体化粧料塗布体１’を製造するにあたっては、該液体化粧料塗布体１’を構成する成形体Ｂを４つの成形体片Ｂ’を連結部Ｂ”を中心に互いに９０°をなすように放射状であって、且つ平面形状とするものであるので、射出成形に使用する金型を複雑に型割りする必要がなくなるものである。その結果、金型の製造の他に、金型の取り扱い及び維持に必要となる費用を安価にすることができる。
【００２７】
その上、金型から成形体Ｂを取り出すにあたっても、成形体Ｂ自体が平面形状であるので、ブラシ４’を形成することとなる複数の突起物３’を変形させ、また破損させることなく容易に取り出せるものである。その結果、多様なブラシ４’を有する液体化粧料塗布体１’を製造することができるものである。
【００２８】
さらに、４つの成形体片Ｂ’を互いに９０°となるように放射状に配置し、且つ平面形状に成形された成形体Ｂを連結部Ｂ”を中心に各々の成形体片Ｂ’を折曲して断面十字形状である角柱形状の塗布体本体部２’にするとともに、該塗布体本体部２’先端に形成され、固持軸の固持孔内に挿嵌する挿嵌部８によって塗布体本体部２’を断面十字形状である角柱形状に保持させることができる。その結果、液体化粧料塗布体１’を簡易且つ正確に製造することができるものである。そして、特に、該液体化粧料塗布体１’を構成する塗布体本体部２’はほぼ中実体となって剛性が高くなるので塗布体本体部２’自体が変形しにくくなる。そのため、マスカラ等の液体化粧料を的確に塗布することができるようになるものである。
【実施例３】
【００２９】
図６において示すのは、本願発明の実施例３である液体化粧料塗布体１”である。該液体化粧料塗布体１”は、一端には鍔状の係止端９’を形成し、他端には巻き付け部９ａから段部９ｂを介して径小化された挿嵌部９”を形成してなる巻き付け軸９と、該巻き付け部９ａの外周面に巻き付けられて円筒状となる塗布体本体部２”と、該塗布体本体部２”の表面において複数の突起物３”を配置してなるブラシ４”とから構成されるものである。
なお、該液体化粧料塗布体２”は、該液体化粧料塗布体２”を構成する挿嵌部９”を、実施例１乃至２と同様に、マスカラ等の液体化粧料を貯留する容器本体（図示せず。）とともに液体化粧料容器（図示せず。）をなすキャップ（図示せず。）内に根元部を保持する固持軸７先端の固持孔７”内に挿嵌して固持するものである。
【００３０】
本願発明の実施例３である液体化粧料塗布体は、図５（イ）〜（ハ）で示すようにして製造するものである。
まず、一面に複数の突起物３”を一体に形成してなる平行四辺形状であって平面形状の成形体Ｃを金型によって成形する。
そして、成形した金型から抜き出した後に該平行四辺形状の成形体Ｃは、複数の突起物３”を一体に形成する一面を表面とし、該平行四辺形状の成形体Ｃの上辺Ｃ’を鍔状の係止端９’内に周設した凹溝９ｃ内に差し込むとともに、巻き付け軸９の巻き付け部９ａの外周面に対して巻き付けることで、巻き付け軸９の外周面において一体となる円筒形状の塗布体本体部２”とする。
その上で、該円筒形状の塗布体本体部２”を外周面において一体となる巻き付け軸９の他端に形成する巻き付け部９ａよりも段部９ｂを介して径小化された挿嵌部９”を、その段部９ｂを固持軸７先端の固持孔７”先端近傍の受け部７”ａに合致させながら挿嵌することによって成形体Ｃの下辺Ｃ”を該受け部７”ａを挟持しつつ、塗布体本体部２”を固持することができるものとなる。
なお、成形体Ｃを巻き付け軸９の巻き付け部９ａに巻き付けるにあたっては、単に巻き付け軸９の巻き付け部に９ａに巻き付けた上で、凹溝９ｃと固持孔７”の受け部７”ａとの間で固持させてなるものの他、接着剤による接着や熱による溶着させることで成形体Ｃを円筒形状に巻き付けるものであってもよい。
【００３１】
以上のように、本願発明の実施例３である液体化粧料塗布体１”を製造するにあたっては、該液体化粧料塗布体１”を構成する平行四辺形状の成形体Ｃが平面形状とするものであるので、射出成形に使用する金型を複雑に型割りする必要がなくなるものである。その結果、金型の製造の他に、金型の取り扱い及び維持に必要となる費用を安価にすることができる。
【００３２】
その上、金型から前記成形体Ｃを取り出すにあたっても、成形体Ｃ自体が平面形状であるので、ブラシ４”を形成することとなる複数の突起物３”を変形させ、また破損させることなく容易に取り出せるものである。その結果、多様なブラシ４”を有する液体化粧料塗布体１”を製造することができるものである。
【００３３】
さらに、略平行四辺形状の成形体Ｃを巻き付け軸９に対して巻き付けることで巻き付け軸９の外周面に円筒形状の塗布体本体部２”とするとともに、該塗布体本体部２”をなす巻き付け軸９の他端に形成される径小化され、固持軸７の固持孔７”内に挿嵌する挿嵌部９”によって塗布体本体部２”を巻き付け軸９”の外周面において円筒形状として一体に保持することができる。その結果、液体化粧料塗布体１”を簡易且つ正確に製造することができるものである。そして、特に、成形体Ｃはきわめて薄くしかも他面を平滑に成形できるので、部品としての運搬、保存が容易となり、製造作業の効率を向上させることができるものである。
【産業上の利用可能性】
【００３４】
本願発明の液体化粧料塗布体の製造方法は、多様な液体化粧料塗布体を、安価に、しかも簡易且つ正確に製造できるので、多様なブラシを有する塗布体の製造に適用することができる。
【符号の説明】
【００３５】
１、１’、１”    液体化粧料塗布体
２、２’、２”    塗布体本体部
３、３’、３”    突起物
４、４’、４”    ブラシ
５    係止凸縁
５’    係止凸縁分割体
６    クリップ
６ａ    本体部
６ｂ    挿嵌部
６ｃ    係止凹縁
７    固持軸
７’    根元部
７”    固持孔
７”ａ    受け部
８    挿嵌部
８’    挿嵌部片
９    巻き付け軸
９’    係止端
９”    挿嵌部
９ａ    巻き付け部
９ｂ    段部
９ｃ    凹溝
【図１】
2013009775.tif 000003
【図２】
2013009775.tif 000004
【図３】
2013009775.tif 000005
【図４】
2013009775.tif 000006
【図５】
2013009775.tif 000007
【図６】
2013009775.tif 000008
【図７】
2013009775.tif 000009